(57)【要約】【課題】タイトルまたはジャンルが同一の番組コンテンツが記憶装置に記録されていない場合であっても、番組コンテンツのタイトル数を削減する。【解決手段】記憶装置１０１に記憶されている録画済の番組コンテンツのうち所定の時間区間に録画された番組コンテンツを検索する検索部１０２と、検索部１０２で検索された複数の番組コンテンツを１つの番組コンテンツに結合し、結合後の番組コンテンツに１つのタイトルを付与する結合部１０３とを備える。【選択図】図２
2014123827.tif 000002
【特許請求の範囲】
【請求項１】
記憶装置に記憶されている録画済の番組コンテンツのうち所定の時間区間に録画された番組コンテンツを検索する検索部と、
前記検索部で検索された複数の番組コンテンツを１つの番組コンテンツに結合し、結合後の前記番組コンテンツに１つのタイトルを付与する結合部とを備える
録画装置。
【請求項２】
さらに、
予め定められた複数の時間区間のそれぞれについて、当該時間区間に録画され、かつ再生済みの番組コンテンツのタイトル数を算出するタイトル数算出部と、
前記タイトル数算出部で算出されたタイトル数の昇順に予め定められた個数の時間区間を決定する時間区間決定部とを備え、
前記検索部は、さらに、前記時間区間決定部で決定された前記予め定められた個数の時間区間の各々について、前記録画済の番組コンテンツのうち当該時間区間に録画された番組コンテンツを検索する
請求項１に記載の録画装置。
【請求項３】
前記検索部は、さらに、前記録画済の番組コンテンツのうち再生済みの番組コンテンツを検索し、
前記結合部は、さらに、前記検索部で検索された複数の再生済みの番組コンテンツを１つの番組コンテンツに結合し、結合後の前記番組コンテンツに１つのタイトルを付与する
請求項１または２に記載の録画装置。
【請求項４】
前記検索部は、さらに、前記録画済の番組コンテンツのうち互いにタイトルが一致する番組コンテンツを検索し、
前記結合部は、さらに、前記検索部で検索されたタイトルが一致する複数の番組コンテンツを１つの番組コンテンツに結合し、結合後の前記番組コンテンツに１つのタイトルを付与する
請求項１〜３のいずれか１項に記載の録画装置。
【請求項５】
前記結合部は、さらに、結合後の前記番組コンテンツに、結合前の複数の番組コンテンツに対応したチャプタを設定し、各チャプタに、当該チャプタに対応する結合前の番組コンテンツのタイトルをチャプタ名として設定する
請求項４に記載の録画装置。
【請求項６】
前記結合部は、さらに、結合後の前記番組コンテンツのタイトルとして、結合前の番組コンテンツの数を含むタイトルを付与する
請求項５に記載の録画装置。
【請求項７】
さらに、
結合後の前記番組コンテンツを分割して結合前の前記複数の番組コンテンツを生成し、生成した前記複数の番組コンテンツのそれぞれに、分割前のチャプタ名をタイトルとして付与する分割部を備える
請求項５または６に記載の録画装置。
【請求項８】
前記検索部は、前記録画済の番組コンテンツのうちタイトルまたは番組情報に予め定められたキーワードを含む番組コンテンツを検索し、
前記結合部は、さらに、前記検索部で検索された前記予め定められたキーワードを含む複数の番組コンテンツを１つの番組コンテンツに結合し、結合後の前記番組コンテンツに１つのタイトルを付与する
請求項１〜７のいずれか１項に記載の録画装置。
【請求項９】
前記検索部は、前記録画済の番組コンテンツのうち互いにジャンルが一致する番組コンテンツを検索し、
前記結合部は、さらに、前記検索部で検索されたジャンルが一致する複数の番組コンテンツを１つの番組コンテンツに結合し、結合後の前記番組コンテンツに１つのタイトルを付与する
請求項１〜８のいずれか１項に記載の録画装置。
【請求項１０】
さらに、
前記録画済の番組コンテンツの中から内容が重複する複数の番組コンテンツを検索し、検索した前記内容が重複する複数の番組コンテンツの中から一を残し他を削除する重複コンテンツ削除部を備え、
前記検索部は、前記重複コンテンツ削除部による削除処理の後に、番組コンテンツを検索する
請求項１〜９のいずれか１項に記載の録画装置。
【請求項１１】
さらに、
前記記憶装置に記憶されている録画済の番組コンテンツのタイトル数が、タイトル数閾値以上であるか否かを判定するタイトル数判定部を備え、
前記検索部は、前記タイトル数判定部において前記タイトル数が前記タイトル数閾値以上であると判定された場合に、番組コンテンツを検索し、
前記結合部は、前記タイトル数判定部において前記タイトル数が前記タイトル数閾値以上であると判定された場合に、前記検索部で検索された複数の番組コンテンツを１つの番組コンテンツに結合し、結合後の前記番組コンテンツに１つのタイトルを付与する
請求項１〜１０のいずれか１項に記載の録画装置。
【請求項１２】
録画装置による録画制御方法であって、
記憶装置に記憶されている録画済の番組コンテンツのうち所定の時間区間に録画された番組コンテンツを検索し、
検索された複数の番組コンテンツを１つの番組コンテンツに結合し、結合後の前記番組コンテンツに１つのタイトルを付与する
録画制御方法。
【請求項１３】
請求項１２に記載の録画制御方法をコンピュータに実行させるためのプログラム。
【発明の詳細な説明】
【技術分野】
【０００１】
本発明は、テレビ放送波に含まれる番組コンテンツを録画する録画装置に関する。
【背景技術】
【０００２】
ＨＤＤ（Ｈａｒｄ  Ｄｉｓｋ  Ｄｒｉｖｅ）レコーダに代表される録画装置に記憶可能な番組コンテンツのタイトル数は、録画装置のＲＡＭの容量に応じて上限が定められている。このため、ＨＤＤに記憶領域の空があるにもかかわらず、タイトル数が上限に達している場合には、それ以上、番組コンテンツを録画することができないという課題がある。
【０００３】
このような課題を解決するために、特許文献１に記載の記憶装置は、録画済の番組コンテンツのタイトル数が上限に達している場合に、新たに番組コンテンツを録画する際には、録画済の番組コンテンツに新たに録画した番組コンテンツを結合する。これにより、タイトル数が上限を超えないようにしている。
【先行技術文献】
【特許文献】
【０００４】
【特許文献１】国際公開第２０１０／０６１４４５号
【発明の概要】
【発明が解決しようとする課題】
【０００５】
しかしながら、特許文献１に記載の記憶装置では、タイトルまたはジャンルが同一の複数の番組コンテンツを結合している。このため、タイトルまたはジャンルが同一の番組コンテンツがＨＤＤに記録されていない場合には、新たに番組コンテンツを録画することができないという課題がある。
【０００６】
本発明は、上述の課題を解決するためになされたものであり、タイトルまたはジャンルが同一の複数の番組コンテンツが記憶装置に記録されていない場合であっても、番組コンテンツのタイトル数を削減することができる録画装置を提供することを目的とする。
【課題を解決するための手段】
【０００７】
上記目的を達成するために、本発明の一態様に係る録画装置は、記憶装置に記憶されている録画済の番組コンテンツのうち所定の時間区間に録画された番組コンテンツを検索する検索部と、前記検索部で検索された複数の番組コンテンツを１つの番組コンテンツに結合し、結合後の前記番組コンテンツに１つのタイトルを付与する結合部とを備える。
【０００８】
これによると、所定の時間区間に録画された複数の番組コンテンツが１つの番組コンテンツに結合され、１つのタイトルが付与される。時間区間を長く設定すれば、その時間区間に必ず複数の番組コンテンツが含まれることになる。このため、タイトルまたはジャンルが同一の複数の番組コンテンツが存在しない場合であっても、番組コンテンツのタイトル数を削減することができる。
【０００９】
また、上述の録画装置は、さらに、予め定められた複数の時間区間のそれぞれについて、当該時間区間に録画され、かつ再生済みの番組コンテンツのタイトル数を算出するタイトル数算出部と、前記タイトル数算出部で算出されたタイトル数の昇順に予め定められた個数の時間区間を決定する時間区間決定部とを備え、前記検索部は、さらに、前記時間区間決定部で決定された前記予め定められた個数の時間区間の各々について、前記録画済の番組コンテンツのうち当該時間区間に録画された番組コンテンツを検索しても良い。
【００１０】
これによると、録画したにもかかわらずあまり再生されていない番組コンテンツを多く含む時間区間が決定される。このため、複数の番組コンテンツを結合したとしても、ユーザは、結合後の番組コンテンツにアクセスする頻度が低いと考えられる。よって、ユーザに与える影響を少なくしながら、番組コンテンツのタイトル数を削減することができる。
【００１１】
また、前記検索部は、さらに、前記録画済の番組コンテンツのうち再生済みの番組コンテンツを検索し、前記結合部は、さらに、前記検索部で検索された複数の再生済みの番組コンテンツを１つの番組コンテンツに結合し、結合後の前記番組コンテンツに１つのタイトルを付与しても良い。
【００１２】
これによると、再生済みの複数の番組コンテンツが結合されることで、タイトルが削減される。再生済みの番組コンテンツは、ユーザが再度再生する可能性が低いと考えられる。このため、再生済みの複数の番組コンテンツを結合したとしても、ユーザは、結合後の番組コンテンツにアクセスする頻度が低いと考えられる。よって、ユーザに与える影響を少なくしながら、番組コンテンツのタイトル数を削減することができる。
【００１３】
また、前記検索部は、さらに、前記録画済の番組コンテンツのうち互いにタイトルが一致する番組コンテンツを検索し、前記結合部は、さらに、前記検索部で検索されたタイトルが一致する複数の番組コンテンツを１つの番組コンテンツに結合し、結合後の前記番組コンテンツに１つのタイトルを付与しても良い。
【００１４】
これによると、時間区間によるタイトル数の削減に加えて、タイトルの一致性に基づいてタイトル数を削減することができる。このため、時間区間だけを用いてタイトル数を削減するよりも、より番組コンテンツのタイトル数を削減することができる。
【００１５】
また、前記結合部は、さらに、結合後の前記番組コンテンツに、結合前の複数の番組コンテンツに対応したチャプタを設定し、各チャプタに、当該チャプタに対応する結合前の番組コンテンツのタイトルをチャプタ名として設定しても良い。
【００１６】
これによると、ユーザは、結合後の番組コンテンツのチャプタ名を見ることにより、結合前の各番組コンテンツのタイトルを知ることができる。よって、ユーザにとっての利便性を損なうことなく、番組コンテンツのタイトル数を削減することができる。
【００１７】
また、前記結合部は、さらに、結合後の前記番組コンテンツのタイトルとして、結合前の番組コンテンツの数を含むタイトルを付与しても良い。
【００１８】
例えば、一週間ごとに放送されている連続ドラマの複数の番組コンテンツを結合して、結合後の番組コンテンツに１つのタイトルを付与した場合には、何話分の番組コンテンツを結合したかが、タイトルを見ただけでは通常分からない。しかしながら、これによると、ユーザは、タイトルを見ただけで、何話分の番組コンテンツを結合したかを知ることができる。
【００１９】
また、上述の録画装置は、さらに、結合後の前記番組コンテンツを分割して結合前の前記複数の番組コンテンツを生成し、生成した前記複数の番組コンテンツのそれぞれに、分割前のチャプタ名をタイトルとして付与する分割部を備えても良い。
【００２０】
これによると、結合後の番組コンテンツを分割して、結合前の複数の番組コンテンツを外部の記録媒体にダビングする際に、分割前の各チャプタ名が、分割後の各番組コンテンツのタイトルとして付与される。このため、分割後の各番組コンテンツに、録画時に元々付与されていたタイトルを付与することができる。
【００２１】
また、前記検索部は、前記録画済の番組コンテンツのうちタイトルまたは番組情報に予め定められたキーワードを含む番組コンテンツを検索し、前記結合部は、さらに、前記検索部で検索された前記予め定められたキーワードを含む複数の番組コンテンツを１つの番組コンテンツに結合し、結合後の前記番組コンテンツに１つのタイトルを付与しても良い。
【００２２】
これによると、時間区間によるタイトル数の削減に加えて、キーワードに基づいてタイトル数を削減することができる。このため、時間区間だけを用いてタイトル数を削減するよりも、より番組コンテンツのタイトル数を削減することができる。
【００２３】
また、前記検索部は、前記録画済の番組コンテンツのうち互いにジャンルが一致する番組コンテンツを検索し、前記結合部は、さらに、前記検索部で検索されたジャンルが一致する複数の番組コンテンツを１つの番組コンテンツに結合し、結合後の前記番組コンテンツに１つのタイトルを付与しても良い。
【００２４】
これによると、時間区間によるタイトル数の削減に加えて、ジャンルに基づいてタイトル数を削減することができる。このため、時間区間だけを用いてタイトル数を削減するよりも、より番組コンテンツのタイトル数を削減することができる。
【００２５】
また、上述の録画装置は、さらに、前記録画済の番組コンテンツの中から内容が重複する複数の番組コンテンツを検索し、検索した前記内容が重複する複数の番組コンテンツの中から一を残し他を削除する重複コンテンツ削除部を備え、前記検索部は、前記重複コンテンツ削除部による削除処理の後に、番組コンテンツを検索しても良い。
【００２６】
これによると、前処理として内容が重複している番組コンテンツが削除される。このため、効率的に番組コンテンツのタイトル数を削減することができる。
【００２７】
また、上述の録画装置は、さらに、前記記憶装置に記憶されている録画済の番組コンテンツのタイトル数が、タイトル数閾値以上であるか否かを判定するタイトル数判定部を備え、前記検索部は、前記タイトル数判定部において前記タイトル数が前記タイトル数閾値以上であると判定された場合に、番組コンテンツを検索し、前記結合部は、前記タイトル数判定部において前記タイトル数が前記タイトル数閾値以上であると判定された場合に、前記検索部で検索された複数の番組コンテンツを１つの番組コンテンツに結合し、結合後の前記番組コンテンツに１つのタイトルを付与しても良い。
【００２８】
これによると、タイトル数がタイトル数閾値以上になると、タイトル数の削減が行われる。よって、ユーザは、録画装置に特別な指示を与えなくても、自動的に番組コンテンツのタイトル数を削減することができる。これにより、常にタイトル数が上限を超えないようにすることができる。
【００２９】
なお、本発明は、このような特徴的な処理部を備える録画装置として実現することができるだけでなく、録画装置に含まれる特徴的な処理部が実行する処理をステップとする録画制御方法として実現することができる。また、録画装置に含まれる特徴的な処理部としてコンピュータを機能させるためのプログラムまたは録画制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００３０】
本発明によると、タイトルまたはジャンルが同一の複数の番組コンテンツがＨＤＤに記録されていない場合であっても、番組コンテンツのタイトル数を削減することができる。
【図面の簡単な説明】
【００３１】
【図１】実施の形態１に係る録画装置と、録画装置に接続されて用いられるテレビとの外観図である。
【図２】実施の形態１に係る録画装置の機能的な構成を示すブロック図である。
【図３】実施の形態１に係る録画装置が実行する、録画済の番組コンテンツのタイトル数を削減する処理のフローチャートである。
【図４】タイトル数が上限に達した場合に表示される画像の一例を示す図である。
【図５】重複コンテンツ削除処理（図３のＳ２）の詳細を示すフローチャートである。
【図６】重複コンテンツ削除処理（図３のＳ２）を説明するための図である。
【図７】重複コンテンツ削除処理（図３のＳ２）を説明するための図である。
【図８】タイトルに基づく番組コンテンツ結合処理（図３のＳ３）の詳細を示すフローチャートである。
【図９】タイトルに基づく番組コンテンツ結合処理（図３のＳ３）を説明するための図である。
【図１０】キーワードに基づく番組コンテンツ結合処理（図３のＳ５）の詳細を示すフローチャートである。
【図１１】時間区間に基づく番組コンテンツ結合処理（図３のＳ７）の詳細を示すフローチャートである。
【図１２】ジャンルに基づく番組コンテンツ結合処理（図３のＳ９）の詳細を示すフローチャートである。
【図１３】実行するステップを選択するためのメニュー画像の一例を示す図である。
【図１４】分割部が実行する処理のフローチャートである。
【図１５】分割部が実行する処理を説明するための図である。
【図１６】実施の形態２に係る録画装置の機能的な構成を示すブロック図である。
【図１７】時間区間に基づく番組コンテンツ結合処理（図３のＳ７）の詳細を示すフローチャートである。
【図１８】時間区間に基づく番組コンテンツ結合処理（図３のＳ７）を説明するための図である。
【発明を実施するための形態】
【００３２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３３】
（実施の形態１）
以下、本発明の実施の形態１に係る録画装置について説明する。
【００３４】
＜構成＞
図１は、実施の形態１に係る録画装置１０と、録画装置１０に接続されて用いられるテレビ２０との外観図である。
【００３５】
図２は、実施の形態１に係る録画装置１０の機能的な構成を示すブロック図である。
【００３６】
録画装置１０は、テレビ放送波を受信し、テレビ番組を録画する装置であって、記憶装置１０１と、検索部１０２と、結合部１０３と、重複コンテンツ削除部１０４と、タイトル数判定部１０７と、分割部１０８と、ＲＡＭ１０９とを備える。
【００３７】
記憶装置１０１は、録画済のテレビ番組のコンテンツである番組コンテンツを記憶する記憶装置であり、例えば、ＨＤＤまたはＢＤなどにより構成される。
【００３８】
検索部１０２は、記憶装置１０１に記憶されている録画済の番組コンテンツのうち所定の時間区間に録画された番組コンテンツを検索する。
【００３９】
結合部１０３は、検索部１０２で検索された複数の番組コンテンツを１つの番組コンテンツに結合し、結合後の番組コンテンツに１つのタイトルを付与する。
【００４０】
重複コンテンツ削除部１０４は、記憶装置１０１に記憶されている録画済の番組コンテンツの中から内容が重複する番組コンテンツを検索し、検索した内容が重複する複数の番組コンテンツの中から一を残し他を削除する。
【００４１】
タイトル数判定部１０７は、記憶装置１０１に記憶されている録画済の番組コンテンツのタイトル数が、タイトル数閾値以上であるか否かを判定する。タイトル数閾値は、例えば、ＲＡＭ１０９に記憶することができるタイトル数の上限値であっても良いし、その上限値よりも小さな値であってもよい。
【００４２】
分割部１０８は、結合部１０３による結合後の番組コンテンツを分割して結合前の複数の番組コンテンツを生成し、生成した複数の番組コンテンツのそれぞれに、分割前のチャプタ名をタイトルとして付与する。
【００４３】
ＲＡＭ１０９は、録画済の番組コンテンツのタイトルを一時的に記憶する。ＲＡＭ１０９に記憶されたタイトルは、録画装置１０から出力され、テレビ２０に表示される。なお、ＲＡＭ１０９に記憶可能なタイトル数の上限は予め定められている。
【００４４】
表示制御部１１０は、テレビ２０に表示するための画像データを生成し、テレビ２０に対して出力するための制御を行う。
【００４５】
録画装置１０は、その他、チューナ、エンコーダ、入出力インタフェース等の一般的な録画装置に備わっている処理部を備える。これらは、本発明の主眼ではないため、図２において図示を省略する。
【００４６】
＜動作＞
図３は、実施の形態１に係る録画装置１０が実行する、録画済の番組コンテンツのタイトル数を削減する処理のフローチャートである。図３に示す処理は、録画装置１０による録画が完了するたびに、録画装置１０により自動的に実行される。
【００４７】
タイトル数判定部１０７は、録画済の番組コンテンツのタイトル数が、タイトル数閾値以上であるか否かを判定する（Ｓ１）。例えば、タイトル数閾値をＲＡＭ１０９に記憶可能なタイトル数の上限とする。これにより、以降の処理で、タイトル数を上限以下に維持することができる。
【００４８】
録画済の番組コンテンツのタイトル数が、タイトル数閾値未満であれば（Ｓ１でＮＯ）、現時点においてタイトル数を削減する必要性がないことから、その後の処理は実行されない。
【００４９】
録画済の番組コンテンツのタイトル数が、タイトル数閾値以上であれば（Ｓ１でＹＥＳ）、ステップＳ２以降の処理が実行される。つまり、重複コンテンツ削除部１０４が、録画済の番組コンテンツの中から内容が重複する番組コンテンツを検索し、検索した内容が重複する複数の番組コンテンツの中から一を残し他を削除する（Ｓ２）。重複コンテンツ削除処理（Ｓ２）の詳細については後述する。
【００５０】
検索部１０２および結合部１０３は、録画済の番組コンテンツのうち、同一のタイトルを有する複数の番組コンテンツを１つの番組コンテンツに結合し、結合後の番組コンテンツに１つのタイトルを付与する（Ｓ３）。これにより、タイトル数を削減する。タイトルに基づく番組コンテンツ結合処理（Ｓ３）の詳細については後述する。
【００５１】
タイトルに基づく番組コンテンツ結合処理（Ｓ３）を行うことで、タイトル数が減少している可能性がある。このため、タイトル数判定部１０７は、録画済の番組コンテンツのタイトル数が、タイトル数閾値以上であるか否かを再度判定する（Ｓ４）。
【００５２】
録画済の番組コンテンツのタイトル数が、タイトル数閾値未満になっていれば（Ｓ４でＮＯ）、これ以上タイトル数を削減する必要性がないと判断されるため、その後の処理は実行されない。
【００５３】
録画済の番組コンテンツのタイトル数が、タイトル数閾値以上であれば（Ｓ４でＹＥＳ）、ステップＳ５以降の処理が実行される。つまり、検索部１０２および結合部１０３が、録画済の番組コンテンツのうちタイトルまたは番組情報に予め定められたキーワードを含む複数の番組コンテンツを１つの番組コンテンツに結合し、結合後の番組コンテンツに１つのタイトルを付与する（Ｓ５）。これにより、タイトル数を削減する。キーワードに基づく番組コンテンツ結合処理（Ｓ５）の詳細については後述する。
【００５４】
キーワードに基づく番組コンテンツ結合処理（Ｓ５）を行うことで、タイトル数が減少している可能性がある。このため、タイトル数判定部１０７は、録画済の番組コンテンツのタイトル数が、タイトル数閾値以上であるか否かを再度判定する（Ｓ６）。
【００５５】
録画済の番組コンテンツのタイトル数が、タイトル数閾値未満になっていれば（Ｓ６でＮＯ）、これ以上タイトル数を削減する必要性がないと判断されるため、その後の処理は実行されない。
【００５６】
録画済の番組コンテンツのタイトル数が、タイトル数閾値以上であれば（Ｓ６でＹＥＳ）、Ｓ７以降の処理が実行される。つまり、検索部１０２および結合部１０３が、録画済の番組コンテンツのうち所定の時間区間に録画された複数の番組コンテンツを１つの番組コンテンツに結合し、結合後の番組コンテンツに１つのタイトルを付与する（Ｓ７）。これにより、タイトル数を削減する。時間区間に基づく番組コンテンツ結合処理（Ｓ７）の詳細については後述する。
【００５７】
時間区間に基づく番組コンテンツ結合処理（Ｓ７）を行うことで、タイトル数が減少している可能性がある。このため、タイトル数判定部１０７は、録画済の番組コンテンツのタイトル数が、タイトル数閾値以上であるか否かを再度判定する（Ｓ８）。
【００５８】
録画済の番組コンテンツのタイトル数が、タイトル数閾値未満になっていれば（Ｓ８でＮＯ）、これ以上タイトル数を削減する必要性がないと判断されるため、その後の処理は実行されない。
【００５９】
録画済の番組コンテンツのタイトル数が、タイトル数閾値以上であれば（Ｓ８でＹＥＳ）、Ｓ９以降の処理が実行される。つまり、検索部１０２および結合部１０３が、録画済の番組コンテンツのうち互いにジャンルが一致する複数の番組コンテンツを１つの番組コンテンツに結合し、結合後の番組コンテンツに１つのタイトルを付与する（Ｓ９）。これにより、タイトル数を削減する。ジャンルに基づく番組コンテンツ結合処理（Ｓ９）の詳細については後述する。
【００６０】
ジャンルに基づく番組コンテンツ結合処理（Ｓ９）を行うことで、タイトル数が減少している可能性がある。このため、タイトル数判定部１０７は、録画済の番組コンテンツのタイトル数が、タイトル数閾値以上であるか否かを再度判定する（Ｓ１０）。
【００６１】
録画済の番組コンテンツのタイトル数が、タイトル数閾値未満になっていれば（Ｓ１０でＮＯ）、これ以上タイトル数を削減する必要性がないと判断されるため、その後の処理は実行されない。
【００６２】
録画済の番組コンテンツのタイトル数が、タイトル数閾値以上であれば（Ｓ１０でＹＥＳ）、これ以上タイトル数を削減することができない。このため、表示制御部１１０は、図４に示すような画像をテレビ２０に表示させる。これにより、タイトル数が上限に達しており、さらなる録画を行うためには、番組コンテンツを削除すべきことを、ユーザに通知する。
【００６３】
＜重複コンテンツ削除処理（図３のＳ２）＞
次に、重複コンテンツ削除処理（図３のＳ２）について詳細に説明する。
【００６４】
図５は、重複コンテンツ削除処理（図３のＳ２）の詳細を示すフローチャートである。
【００６５】
重複コンテンツ削除部１０４は、記憶装置１０１に記憶されている録画済の番組コンテンツの中から、再放送番組を録画した番組コンテンツ（以下、「再放送コンテンツ」という）を検索する。番組コンテンツに含まれる特定の記述子の値を参照することにより、その番組コンテンツが再放送コンテンツであるか否かを判断することができる。例えば、番組コンテンツにはＡＲＩＢ（電波産業会）が定めた規格に規定されているサービス記述子（Ｓｅｒｖｉｃｅ  ｄｅｓｃｒｉｐｔｏｒ）が付与されている。また、再放送コンテンツのサービス記述子には特定の値が設定されている。このため、重複コンテンツ削除部１０４は、番組コンテンツのサービス記述子に、再放送コンテンツを示す特定の値が設定されている場合、その番組コンテンツが再放送コンテンツであると判断する。
【００６６】
重複コンテンツ削除部１０４は、録画済の番組コンテンツの中から、後述するＳ２３の確認処理が行われていない番組コンテンツを１つ選択する（Ｓ２２）。
【００６７】
重複コンテンツ削除部１０４は、選択した番組コンテンツと内容が重複する再放送コンテンツが存在するか否かを確認する（Ｓ２３）。つまり、重複コンテンツ削除部１０４は、選択した番組コンテンツのタイトルと一致するタイトルの再放送コンテンツが存在するか否かを確認する。タイトルの一致判定は既存の技術を用いることができ、タイトルが完全に同一な場合をタイトルが一致すると判断しても良いし、タイトル同士の一致率が予め定められた一致率閾値以上の場合に、タイトルが一致すると判断しても良い。
【００６８】
選択した番組コンテンツと内容が重複する再放送コンテンツが存在する場合には（Ｓ２４でＹＥＳ）、重複コンテンツ削除部１０４は、選択した番組コンテンツを残し、重複する再放送コンテンツを記憶装置１０１から削除する（Ｓ２５）。なお、重複する再放送コンテンツが複数存在する場合には、重複コンテンツ削除部１０４は、選択した番組コンテンツを残し、重複する全ての再放送コンテンツを記憶装置１０１から削除する。これにより、録画済の番組コンテンツのタイトル数が削除した再放送コンテンツの数だけ減少したことになる。
【００６９】
選択した番組コンテンツと内容が重複する再放送コンテンツが存在しない場合には（Ｓ２４でＮＯ）、再放送コンテンツの削除処理（Ｓ２５）は実行されない。
【００７０】
重複コンテンツ削除部１０４は、記憶装置１０１に記憶されている全ての番組コンテンツを選択して、重複確認処理（Ｓ２３）を実行したか否かを判断する（Ｓ２６）。
【００７１】
全ての番組コンテンツを選択済みであれば（Ｓ２６でＹＥＳ）、重複コンテンツ削除部１０４は、重複コンテンツ削除処理（図３のＳ２）を終了する。
【００７２】
選択していない番組コンテンツが存在する場合には（Ｓ２６でＮＯ）、ステップＳ２２に戻り、ステップＳ２２以降の処理が繰り返し実行される。
【００７３】
図５に示した重複コンテンツ削除処理（図３のＳ２）により、図６（ａ）に示すように同一の番組を録画した本放送の番組コンテンツ５０１と再放送コンテンツ５０２とが記憶装置１０１に記憶されている場合に、図６（ｂ）に示すように再放送コンテンツを削除することができる。また、図７（ａ）に示すように同一の番組を録画した複数の再放送コンテンツ６０１および６０２が存在する場合にも、図７（ｂ）に示すように一の再放送コンテンツ６０１を残し、他の再放送コンテンツ６０２を削除することができる。これにより、録画済の番組コンテンツのタイトル数を減らすことができる。
【００７４】
＜タイトルに基づく番組コンテンツ結合処理（図３のＳ３）＞
次に、タイトルに基づく番組コンテンツ結合処理（図３のＳ３）について詳細に説明する。
【００７５】
図８は、タイトルに基づく番組コンテンツ結合処理（図３のＳ３）の詳細を示すフローチャートである。
【００７６】
検索部１０２は、録画済の番組コンテンツの中から、後述するＳ３２の検索処理が行われていない番組コンテンツを１つ選択する（Ｓ３１）。
【００７７】
検索部１０２は、選択した番組コンテンツとタイトルが一致する番組コンテンツを、録画済の番組コンテンツの中から検索する（Ｓ３２）。重複コンテンツ削除部１０４による重複確認処理（図５のＳ２３）と同様に、タイトルの一致判定は既存の技術を用いることができる。検索部１０２は、タイトルが完全に同一な場合をタイトルが一致すると判断しても良いし、タイトル同士の一致率が予め定められた一致率閾値以上の場合に、タイトルが一致すると判断しても良い。例えば、図９（ａ）に示すＮ個の番組コンテンツ８０１〜８０３のように、タイトルに同じ文字列「ＡＢＣ」を含む番組コンテンツ８０１〜８０３は、互いにタイトルが一致すると判断しても良い。
【００７８】
選択した番組コンテンツとタイトルが一致する番組コンテンツがある場合には（Ｓ３３でＹＥＳ）、結合部１０３は、タイトルが一致する番組コンテンツ同士を結合することにより、１つの番組コンテンツを生成し、生成した番組コンテンツを記憶装置１０１に格納する（Ｓ３４）。例えば、結合部１０３は、図９（ａ）に示すＮ個の番組コンテンツ８０１〜８０３を結合することにより、図９（ｂ）に示す１つの番組コンテンツ８０４を生成する。検索部１０２は、番組コンテンツ８０４を記憶装置１０１に格納する。結合部１０３は、番組コンテンツ８０４にチャプタを設定し、各チャプタに結合前の１つの番組コンテンツのデータを対応させる。例えば、番組コンテンツ８０４の１つ目のチャプタを再生することで、番組コンテンツ８０１を再生することができる。また、番組コンテンツ８０４の２つ目のチャプタを再生することで、番組コンテンツ８０２を再生することができる。
【００７９】
結合部１０３は、結合処理（Ｓ３４）で生成された結合後の番組コンテンツにタイトルを付与する（Ｓ３５）。つまり、結合部１０３は、結合前の複数の番組コンテンツのタイトルに共通する文字列をタイトルとして付与する。例えば、結合部１０３は、コンテンツ８０１〜８０３のタイトルに共通する文字列「ＡＢＣ」を、番組コンテンツ８０４にタイトルとして付与する。なお、図９（ｂ）に示すように、結合部１０３は、結合後の番組コンテンツ８０４に、結合前の番組コンテンツ８０１〜８０３の数が分かるようなタイトルを付与しても良い。例えば、番組コンテンツ８０１〜８０３が、タイトル「ＡＢＣ」のＮ回連続ドラマを録画した番組コンテンツの場合には、結合部１０３は、結合前の番組コンテンツ数がＮであることが分かるタイトル（例えば、「ＡＢＣ（１）−（Ｎ）」）を番組コンテンツ８０４に付与する。
【００８０】
また、結合部１０３は、結合後の番組コンテンツの各チャプタに、当該チャプタに対応する結合前の番組コンテンツのタイトルをチャプタ名として設定しても良い。例えば、図９（ｂ）に示すように、番組コンテンツ８０４の１番目のチャプタには、番組コンテンツ８０１のタイトルがチャプタ名として付与される。番組コンテンツ８０４の２番目のチャプタには番組コンテンツ８０２のタイトルがチャプタ名として付与される。番組コンテンツ８０４のＮ番目のチャプタには、番組コンテンツ８０３のタイトルがチャプタ名として付与される。
【００８１】
選択した番組コンテンツとタイトルが一致する番組コンテンツがない場合には（Ｓ３３でＮＯ）、結合処理（Ｓ３４）およびタイトル付与処理（Ｓ３５）は実行されない。
【００８２】
全ての番組コンテンツを選択済みであれば（Ｓ３６でＹＥＳ）、検索部１０２および結合部１０３は、タイトルに基づく番組コンテンツ結合処理（図３のＳ３）を終了する。
【００８３】
選択していない番組コンテンツが存在する場合には（Ｓ３６でＮＯ）、ステップＳ３１に戻り、ステップＳ３１以降の処理が繰り返し実行される。
【００８４】
図８に示したタイトルに基づく番組コンテンツ結合処理（図３のＳ３）により、互いにタイトルが一致する番組コンテンツが複数存在する場合に、番組コンテンツのタイトル数を減らすことができる。
【００８５】
＜キーワードに基づく番組コンテンツ結合処理（図３のＳ５）＞
次に、キーワードに基づく番組コンテンツ結合処理（図３のＳ５）について詳細に説明する。
【００８６】
図１０は、キーワードに基づく番組コンテンツ結合処理（図３のＳ５）の詳細を示すフローチャートである。
【００８７】
検索部１０２は、おまかせ自動録画ためにユーザが録画装置１０に設定したキーワードのうち、未選択のキーワードを１つ選択する（Ｓ４１）。おまかせ自動録画とは、予め設定したキーワードをタイトルまたは番組情報に含む番組を自動録画する録画装置１０に備えられた機能である。番組情報とは、番組の付属情報であり、例えば、番組の説明、放送日時、出演者名などの情報を含む。なお、キーワードは、例えば、記憶装置１０１に記憶されている。
【００８８】
検索部１０２は、選択したキーワードをタイトルまたは番組情報に含む番組コンテンツを、記憶装置１０１に記憶されている録画済の番組コンテンツの中から検索する（Ｓ４２）。
【００８９】
検索された番組コンテンツが複数存在する場合には（Ｓ４２でＹＥＳ）、結合部１０３は、検索された複数の番組コンテンツを１つの番組コンテンツに結合し、結合後の番組コンテンツを記憶装置１０１に格納する（Ｓ４４）。例えば、「Ｍｉｃｈａｅｌ  Ｘ」というアーティストが出演する番組を自動録画するために録画装置１０にキーワード「Ｍｉｃｈａｅｌ  Ｘ」が設定されているとする。この場合には、キーワード「Ｍｉｃｈａｅｌ  Ｘ」をタイトルまたは番組情報に含む番組コンテンツ同士が結合される。
【００９０】
また、結合部１０３は、結合後の番組コンテンツにタイトルを付与する（Ｓ４４）。例えば、番組コンテンツの検索に用いたキーワードをタイトルとして付与しても良い。上記例では、結合部１０３は、結合後の番組コンテンツに、キーワード「Ｍｉｃｈａｅｌ  Ｘ」をタイトルとして付与する。ただし、付与されるタイトルはキーワードに限定されるものではない。例えば、結合されたいずれかの番組コンテンツのタイトルを、結合後の番組コンテンツに付与しても良い。
【００９１】
検索された番組コンテンツが存在しない、または１つしか存在しない場合には（Ｓ４３ＮＯ）、結合処理（Ｓ４４）およびタイトル付与処理（Ｓ４５）は実行されない。
【００９２】
全てのキーワードを選択済みであれば（Ｓ４６でＹＥＳ）、検索部１０２および結合部１０３は、キーワードに基づく番組コンテンツ結合処理（図３のＳ５）を終了する。
【００９３】
選択していないキーワードが存在する場合には（Ｓ４６でＮＯ）、ステップＳ４１に戻り、ステップ４１以降の処理が繰り返し実行される。
【００９４】
図１０に示したキーワードに基づく番組コンテンツ結合処理（図３のＳ５）により、おまかせ自動録画ためにユーザが設定したキーワードをタイトルまたは番組情報に含む番組コンテンツが複数存在する場合に、番組コンテンツのタイトル数を減らすことができる。これにより、出演者名など番組コンテンツのタイトルには現れないが、番組情報に現れるキーワードの一致性に基づいて、複数の番組コンテンツを結合することができる。なお、検索に用いられるキーワードは、おまかせ自動録画ためにユーザが設定したキーワードに限定されるものではない。例えば、図１０に示したキーワードに基づく番組コンテンツ結合処理（図３のＳ５）のためだけに、ユーザにキーワードを設定させるようにしても良い。
【００９５】
＜時間区間に基づく番組コンテンツ結合処理（図３のＳ７）＞
次に、時間区間に基づく番組コンテンツ結合処理（図３のＳ７）について詳細に説明する。
【００９６】
図１１は、時間区間に基づく番組コンテンツ結合処理（図３のＳ７）の詳細を示すフローチャートである。
【００９７】
検索部１０２は、録画装置１０に予め設定されている時間区間のうち、未選択の時間区間を１つ選択する（Ｓ５１）。この時間区間は、その時間区間に録画された複数の番組コンテンツを１つの番組コンテンツに結合するために用いられる。なお、時間区間は、予めユーザにより設定されるものとする。時間区間は、例えば、年月日で指定される期間であっても良いし、曜日であっても良いし、一日の間の時間帯であってもよい。また、これらの組み合わせであっても良い。以下の説明では、例えば、時間区間を月曜日の２１時から２２時までの時間帯として説明する。
【００９８】
検索部１０２は、選択した時間区間に録画された番組コンテンツを、記憶装置１０１に記憶されている録画済の番組コンテンツの中から検索する（Ｓ５２）。例えば、検索部１０２は、月曜日の２１時から２２時までの間に録画が開始された番組コンテンツを検索する。録画開始時刻は、番組コンテンツに付属している情報から判断することができる。
【００９９】
検索された番組コンテンツが複数存在する場合には（Ｓ５３でＹＥＳ）、結合部１０３は、検索された複数の番組コンテンツを１つの番組コンテンツに結合し、結合後の番組コンテンツを記憶装置１０１に格納する（Ｓ５４）。例えば、月曜日の２１時から２２時までの間に録画が開始された番組コンテンツが複数存在する場合には、結合部１０３は、それらの複数の番組コンテンツを１つの番組コンテンツに結合し、結合後の番組コンテンツを記憶装置１０１に格納する。
【０１００】
また、結合部１０３は、結合後の番組コンテンツにタイトルを付与する（Ｓ５５）。例えば、番組コンテンツの検索に用いた時間区間をタイトルとして付与しても良い。上記例では、結合部１０３は、結合後の番組コンテンツに、「月曜日２１時−２２時」をタイトルとして付与する。ただし、付与されるタイトルは時間区間に限定されるものではない。例えば、結合されたいずれかの番組コンテンツのタイトルを、結合後の番組コンテンツに付与しても良い。
【０１０１】
検索された番組コンテンツが存在しない、または１つしか存在しない場合には（Ｓ５３ＮＯ）、結合処理（Ｓ５４）およびタイトル付与処理（Ｓ５５）は実行されない。
【０１０２】
ユーザにより設定された全ての時間区間が選択済みであれば（Ｓ５６でＹＥＳ）、検索部１０２および結合部１０３は、時間区間に基づく番組コンテンツ結合処理（図３のＳ７）を終了する。
【０１０３】
選択していない時間区間が存在する場合には（Ｓ５６でＮＯ）、ステップＳ５１に戻り、ステップＳ５１以降の処理が繰り返し実行される。
【０１０４】
図１１に示した時間区間に基づく番組コンテンツ結合処理（図３のＳ７）により、ユーザにより設定された時間区間に録画された番組コンテンツが複数存在する場合に、番組コンテンツのタイトル数を減らすことができる。
【０１０５】
＜ジャンルに基づく番組コンテンツ結合処理（図３のＳ９）＞
次に、ジャンルに基づく番組コンテンツ結合処理（図３のＳ９）について詳細に説明する。
【０１０６】
図１２は、ジャンルに基づく番組コンテンツ結合処理（図３のＳ９）の詳細を示すフローチャートである。
【０１０７】
検索部１０２は、未選択のジャンルを１つ選択する（Ｓ６１）。ジャンルは、番組コンテンツの種別を示す情報である。ジャンルには、例えば、スポーツ、音楽、ドラマなどが含まれる。ジャンルとして、ＡＲＩＢが定めた規格に規定されているジャンルを用いることができる。番組コンテンツに含まれる特定の値を参照することにより、その番組コンテンツのジャンルを判断することができる。例えば、番組コンテンツには、ＡＲＩＢが定めた規格に規定されているコンテント識別子（Ｃｏｎｔｅｎｔ  ｄｅｓｃｒｉｐｔｏｒ）が付与されている。コンテント識別子は、番組コンテンツのジャンルを示す情報である。
【０１０８】
検索部１０２は、選択したジャンルの番組コンテンツを、記憶装置１０１に記憶されている録画済の番組コンテンツの中から検索する（Ｓ６２）。例えば、選択されたジャンルがスポーツの場合には、付属情報に示されるジャンルがスポーツである番組コンテンツが検索される。
【０１０９】
検索された番組コンテンツが複数存在する場合には（Ｓ６３でＹＥＳ）、結合部１０３は、検索された複数の番組コンテンツを１つの番組コンテンツに統合し、結合後の番組コンテンツを記憶装置１０１に格納する（Ｓ６４）。例えば、ジャンルがスポーツの場合には、スポーツに関連する複数の番組コンテンツが１つの番組コンテンツに結合される。
【０１１０】
また、結合部１０３は、結合後の番組コンテンツにタイトルを付与する（Ｓ６５）。例えば、番組コンテンツの検索に用いたジャンルをタイトルとして付与しても良い。上記例では、結合部１０３は、結合後の番組コンテンツに、ジャンル「スポーツ」をタイトルとして付与する。ただし、付与されるタイトルはジャンルに限定されるもではない。例えば、結合されたいずれかの番組コンテンツのタイトルを、結合後の番組コンテンツに付与しても良い。
【０１１１】
検索された番組コンテンツが存在しない、または１つしか存在しない場合には（Ｓ６３ＮＯ）、結合処理（Ｓ６４）およびタイトル付与処理（Ｓ６５）は実行されない。
【０１１２】
全てのジャンルを選択済みであれば（Ｓ６６でＹＥＳ）、検索部１０２および結合部１０３は、ジャンルに基づく番組コンテンツ結合処理（図３のＳ９）を終了する。
【０１１３】
選択していないジャンルが存在する場合には（Ｓ６６でＮＯ）、ステップ６１に戻り、ステップ６１以降の処理が繰り返し実行される。
【０１１４】
図１２に示したジャンルに基づく番組コンテンツ結合処理（図３のＳ９）により、同じジャンルの番組コンテンツが複数存在する場合に、番組コンテンツのタイトル数を減らすことができる。
【０１１５】
なお、検索対象とされるジャンルとして、ＡＲＩＢが定めた規格に規定されるジャンルの代わりに、またはジャンルと共にサブジャンルを用いても良い。例えば、ジャンル「スポーツ」には、サブジャンルとして「テニス」や「ゴルフ」などが含まれる。よって、サブジャンルを用いることで、例えば、テニスの複数の番組コンテンツを１つに結合し、タイトル数を減らすことができる。
【０１１６】
以上説明した処理により、録画済の番組コンテンツのタイトル数を削減することができる。
【０１１７】
なお、図３に示した複数のステップについて、実行するステップを選択することができる。つまり、表示制御部１１０は、図１３に示すようなメニュー画像をテレビ２０に表示する。ユーザは、録画装置１０のリモコンなどを操作することにより、項目の選択を行う。例えば、図１３に示すように、項目「タイトル結合」−「番組名一括結合」−「切」が選択された場合には、図３に示したタイトルに基づく番組コンテンツ結合処理（Ｓ３）は実行されない。このように、ユーザが実行する処理を選択することにより、ユーザの望む形での番組コンテンツの結合とタイトル数の削減を行うことができる。
【０１１８】
次に、分割部１０８が実行する番組コンテンツの分割処理について説明する。記憶装置１０１に記憶されている番組コンテンツを他の記憶装置にコピーまたはムーブする際には、結合後の番組コンテンツをそのまま他の記憶装置に格納しても良い。しかし、他の記憶装置のユーザが録画装置１０のユーザとは別人の場合には、結合後の番組コンテンツのタイトルを見ただけでは、どのような内容の番組コンテンツかが分からない場合がある。このため、分割部１０８は、結合後の番組コンテンツを結合前の状態に戻す。
【０１１９】
図１４は、分割部１０８が実行する処理のフローチャートである。
【０１２０】
分割部１０８は、結合部１０３による結合後の番組コンテンツを分割して、結合前の複数の番組コンテンツを生成する（Ｓ７１）。分割部１０８は、生成した複数の番組コンテンツのそれぞれに、分割前のチャプタ名をタイトルとして付与する（Ｓ７２）。
【０１２１】
例えば、図１５に示すように、記憶装置１０１に、結合後の番組コンテンツ１３０１が記憶されている。番組コンテンツ１３０１は、タイトル名が「Ａ」であり、２つのチャプタから構成されている。２つのチャプタのチャプタ名は「Ｂ」および「Ｃ」である。分割部１０８は、番組コンテンツ１３０１を番組コンテンツ１３０２および番組コンテンツ１３０３に分割する。分割部１０８は、番組コンテンツ１３０２に、番組コンテンツ１３０２が含まれていた番組コンテンツ１３０１のチャプタのチャプタ名「Ｂ」を、タイトルとして付与する。また、分割部１０８は、番組コンテンツ１３０３に、番組コンテンツ１３０３が含まれていた番組コンテンツ１３０１のチャプタのチャプタ名「Ｃ」を、タイトルとして付与する。これにより、番組コンテンツ１３０２および番組コンテンツ１３０３を、他の記憶装置１３０４に格納することができる。
【０１２２】
以上説明したように、実施の形態１に係る録画装置１０によると、所定の時間区間に録画された複数の番組コンテンツが１つの番組コンテンツに結合され、１つのタイトルが付与される。時間区間を長く設定すれば、その時間区間に必ず複数の番組コンテンツが含まれることになる。このため、タイトルまたはジャンルが同一の番組コンテンツが存在しない場合であっても、番組コンテンツのタイトル数を削減することができる。
【０１２３】
また、時間区間によるタイトル数の削減に加えて、タイトルの一致性に基づいてタイトル数を削減することができる。このため、時間区間だけを用いてタイトル数を削減するよりも、より番組コンテンツのタイトル数を削減することができる。
【０１２４】
さらに、時間区間によるタイトル数の削減に加えて、キーワードに基づいてタイトル数を削減することができる。このため、時間区間だけを用いてタイトル数を削減するよりも、より番組コンテンツのタイトル数を削減することができる。
【０１２５】
さらにまた、時間区間によるタイトル数の削減に加えて、ジャンルに基づいてタイトル数を削減することができる。このため、時間区間だけを用いてタイトル数を削減するよりも、より番組コンテンツのタイトル数を削減することができる。
【０１２６】
また、前処理として内容が重複している番組コンテンツが削除される。このため、効率的に番組コンテンツのタイトル数を削減することができる。
【０１２７】
また、タイトル数がタイトル数閾値以上になると、タイトル数の削減が行われる。よって、ユーザは、録画装置１０に特別な指示を与えなくても、自動的に番組コンテンツのタイトル数を削減することができる。これにより、常にタイトル数が上限を超えないようにすることができる。
【０１２８】
また、結合後の番組コンテンツのチャプタ名として、結合前の番組コンテンツのタイトルが設定される。このため、ユーザは、結合後の番組コンテンツのチャプタ名を見ることにより、結合前の各番組コンテンツのタイトルを知ることができる。よって、ユーザにとっての利便性を損なうことなく、番組コンテンツのタイトル数を削減することができる。
【０１２９】
また、結合後の番組コンテンツのタイトルとして、結合前の番組コンテンツの数を含むタイトルが付与される。このため、ユーザは、タイトルを見ただけで、何話分の番組コンテンツを結合したかを知ることができる。
【０１３０】
また、結合後の番組コンテンツを分割して、結合前の複数の番組コンテンツを外部の記録媒体にダビングする際に、分割前の各チャプタ名が、分割後の各番組コンテンツのタイトルとして付与される。このため、分割後の各番組コンテンツに、録画時に元々付与されていたタイトルを付与することができる。
【０１３１】
（実施の形態２）
実施の形態１では、録画装置に予め設定されている時間区間に含まれる複数の番組コンテンツを１つの番組コンテンツに結合した。本実施の形態では、予め設定されている複数の時間区間のうち、複数の番組コンテンツを結合してもユーザに与える影響が少ない時間区間を１つ以上特定し、特定した各時間区間に含まれる複数の番組コンテンツを１つの番組コンテンツに結合する。以下、実施の形態１と同一の構成には同一の参照符号を付す。それらの名称および機能も同一である。このため、それらについての詳細な説明は繰り返さない。
【０１３２】
＜構成＞
実施の形態２に係る録画装置の外観は、図１に示した実施の形態１に係る録画装置１０の外観と同様である。
【０１３３】
図１６は、実施の形態２に係る録画装置１１の機能的な構成を示すブロック図である。
【０１３４】
録画装置１１は、図２に示した実施の形態１に係る録画装置１０の構成に加え、タイトル数算出部１０５と、時間区間決定部１０６とを備える。
【０１３５】
タイトル数算出部１０５は、予め定められた複数の時間区間のそれぞれについて、当該時間区間に録画され、かつ再生済みの番組コンテンツのタイトル数を算出する。
【０１３６】
時間区間決定部１０６は、タイトル数算出部１０５で算出されたタイトル数の昇順に予め定められた個数の時間区間を決定する。
【０１３７】
＜動作＞
実施の形態２に係る録画装置１１が実行する、録画済の番組コンテンツのタイトル数を削減する処理は、図３に示した実施の形態１に係る録画装置１０が実行する処理と同様である。ただし、時間区間に基づく番組コンテンツ結合処理（Ｓ７）が異なる。
【０１３８】
以下、時間区間に基づく番組コンテンツ結合処理（図３のＳ７）について詳細に説明する。
【０１３９】
図１７は、時間区間に基づく番組コンテンツ結合処理（図３のＳ７）の詳細を示すフローチャートである。
【０１４０】
タイトル数算出部１０５は、予め定められている結合対象時間範囲に含まれる番組コンテンツを、記憶装置１０１に記憶されている録画済の番組コンテンツの中から検索する（Ｓ８１）。結合対象時間範囲とは、結合の対象とされる複数の番組コンテンツが録画された時間範囲であり、結合対象時間範囲の中に、さらに複数の時間区間が設定される。複数の番組コンテンツの結合は時間区間単位で行われる。結合対象時間範囲は、例えば、年、月または週単位で設定される。例えば、結合対象時間範囲を２０１１年１１月から２０１２年２月までとすれば、この４ヶ月の間に録画された番組コンテンツを対象として、以下の処理が実行される。なお、結合対象時間範囲を日単位で設定しても良い。例えば、図１８に示す番組Ａ１〜Ａ３、Ｂ１〜Ｂ４、Ｃ１、Ｃ２、Ｄ１およびＤ２の１１個の番組コンテンツが検索されたものとする。
【０１４１】
タイトル数算出部１０５は、結合対象時間範囲に含まれる番組コンテンツをチャンネルごとにグループ化する（Ｓ８２）。例えば、図１８に示すように、１チャンネルの番組コンテンツと、２チャンネルの番組コンテンツとをそれぞれグループ化する。
【０１４２】
タイトル数算出部１０５は、各チャンネルの予め定められた時間区間ごとに、再生済みの番組コンテンツの数である再生済みタイトル数を算出する（Ｓ８３）。例えば、図１８の例では、時間区間として時間帯Ａ（６：００〜７：５９）と時間帯Ｂ（８：００〜９：５９）とが設定されている。１チャンネルの時間帯Ａに録画された番組Ａ１〜Ａ３のうち、再生済みの番組コンテンツは番組Ａ１および番組Ａ２である。このため、１チャンネルの時間帯Ａにおける再生済みタイトル数は２である。同様に、１チャンネルの時間帯Ｂにおける再生済みタイトル数、２チャンネルの時間帯Ａにおける再生済みタイトル数、２チャンネルの時間帯Ｂにおける再生済みタイトル数は、それぞれ、１、２、２と算出される。
【０１４３】
時間区間決定部１０６は、再生済みカウント数が最も少ない時間区間を特定する（Ｓ８４）。図１８の例では、１チャンネルの時間帯Ｂが、再生済みカウント数が最も少ない時間区間として特定される。
【０１４４】
結合部１０３は、特定された時間区間に含まれる複数の番組コンテンツを結合し、結合後の番組コンテンツを記憶装置１０１に格納する（Ｓ８５）。図１８の例では、結合部１０３は、１チャンネルの時間帯Ｂに含まれる番組Ｂ１〜Ｂ４を１つに結合する。
【０１４５】
また、結合部１０３は、結合後の番組コンテンツにタイトルを付与する（Ｓ８６）。例えば、チャンネルおよび時間区間をタイトルとして付与しても良い。上記例では、結合部１０３は、結合後の番組コンテンツに、「１チャンネル８：００〜９：５９」をタイトルとして付与する。ただし、付与されるタイトルは時間区間に限定されるものではない。例えば、結合されたいずれかの番組コンテンツのタイトルを、結合後の番組コンテンツに付与しても良い。
【０１４６】
以上説明したように、実施の形態２に係る録画装置１１によると、録画したにもかかわらずあまり再生されていない番組コンテンツを多く含む時間区間が決定される。このため、番組コンテンツを結合したとしても、ユーザは、結合後の番組コンテンツにアクセスする頻度が低いと考えられる。よって、ユーザに与える影響を少なくしながら、番組コンテンツのタイトル数を削減することができる。
【０１４７】
なお、時間区間として時間帯を例に取り、説明したが、時間区間は、年月日で指定される期間であっても良いし、曜日であっても良いし、これらの組み合わせであっても良い。
【０１４８】
また、時間区間特定処理（図１７のＳ８４）において、再生済みタイトル数が最も少ない時間区間を特定したが、再生済みタイトル数が最も少ないものから予め定められた個数の時間区間を特定するようにしても良い。
【０１４９】
また、結合対象時間範囲は、ユーザが設定できるようにしても良い。
【０１５０】
以上、本発明に係る録画装置について、実施の形態１および２を説明したが、本発明は、これらの実施の形態に限定されるものではない。
【０１５１】
例えば、検索部１０２は、録画済の番組コンテンツのうち再生済みの番組コンテンツを検索し、結合部１０３は、検索部１０２で検索された再生済みの番組コンテンツを１つの番組コンテンツに結合し、結合後の前記番組コンテンツに１つのタイトルを付与しても良い。これによると、再生済みの番組コンテンツが結合されることで、タイトルが削減される。再生済みの番組コンテンツは、ユーザが再度再生する可能性が低いと考えられる。このため、再生済みの番組コンテンツを結合したとしても、ユーザは、結合後の番組コンテンツにアクセスする頻度が低いと考えられる。よって、ユーザに与える影響を少なくしながら、番組コンテンツのタイトル数を削減することができる。
【０１５２】
また、録画済の番組コンテンツのタイトル数を削減する処理（図３）は、録画が完了するたびに自動実行されることとしたが、ユーザからの指示に従い録画装置が実行しても良い。
【０１５３】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１５４】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１５５】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１５６】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１５７】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ、半導体メモリなどに記録したものとしても良い。また、これらの非一時的な記録媒体に記録されている上記デジタル信号であるとしても良い。
【０１５８】
また、本発明は、上記コンピュータプログラムまたは上記デジタル信号を、電気通信回線、無線または有線通信回線、インターネットを代表とするネットワーク、データ放送等を経由して伝送するものとしても良い。
【０１５９】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１６０】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１６１】
さらに、上記実施の形態及び上記変形例をそれぞれ組み合わせるとしても良い。
【０１６２】
本発明に係る録画装置の必須の構成要素は、検索部１０２と、結合部１０３とである。それ以外の構成要素については、録画装置に備えられているのが望ましいが、必ずしも備えられていなくても良い。
【産業上の利用可能性】
【０１６３】
本発明は、テレビ番組を録画するＨＤＤレコーダなどの録画装置に適用できる。
【符号の説明】
【０１６４】
１０、１１  録画装置
２０  テレビ
１０１、１３０４  記憶装置
１０２  検索部
１０３  結合部
１０４  重複コンテンツ削除部
１０５  タイトル数算出部
１０６  時間区間決定部
１０７  タイトル数判定部
１０８  分割部
１０９  ＲＡＭ
１１０  表示制御部
５０１、８０１〜８０４、１３０１〜１３０３  番組コンテンツ
５０２、６０１、６０２  再放送コンテンツ
【図１】
2014123827.tif 000003
【図２】
2014123827.tif 000004
【図３】
2014123827.tif 000005
【図４】
2014123827.tif 000006
【図５】
2014123827.tif 000007
【図６】
2014123827.tif 000008
【図７】
2014123827.tif 000009
【図８】
2014123827.tif 000010
【図９】
2014123827.tif 000011
【図１０】
2014123827.tif 000012
【図１１】
2014123827.tif 000013
【図１２】
2014123827.tif 000014
【図１３】
2014123827.tif 000015
【図１４】
2014123827.tif 000016
【図１５】
2014123827.tif 000017
【図１６】
2014123827.tif 000018
【図１７】
2014123827.tif 000019
【図１８】
2014123827.tif 000020